(57)【要約】      （修正有）【課題】歯の裏側などにおける直視できない部分の小さな患部であっても、映し出されるその鏡像をはっきりと視認することができるように改良を図ったデンタルミラーを提案すること。【解決手段】拡大デンタルミラー１は、金属製の細長い円柱状の柄２と、この柄２の先端に一体形成されている一定厚さの円盤状の検視鏡部３とを有し、検視鏡部３の一方の面には凹面鏡７が配置され、他方の面には平面鏡８が配置されている。凹面鏡７に、歯の患部などが拡大されて映し出され、小さな患部などであってもはっきり視認できるので、極めて便利である。検視鏡部３を裏返せば、平面鏡８によって対象物を同一の大きさで映し出すこともできる。【選択図】図１
2006325701.tif 000002
【特許請求の範囲】
【請求項１】
検視鏡部と、
この検視鏡部が先端に取り付けられている柄とを有し、
前記検視鏡部には凹面鏡が配置されていることを特徴とする拡大デンタルミラー。
【請求項２】
請求項１において、
前記検視鏡部には平面鏡が配置されていることを特徴とする拡大デンタルミラー。
【請求項３】
請求項１において、
前記検視鏡部には、前記凹面鏡と同一あるいは異なる拡大倍率の第２の凹面鏡が配置されていることを特徴とする拡大デンタルミラー。
【請求項４】
請求項１において、
前記検視鏡部には凸面鏡が配置されていることを特徴とする拡大デンタルミラー。
【請求項５】
請求項１において、
前記検視鏡部には、平面鏡および凸面鏡が配置されていることを特徴とする拡大デンタルミラー。
【請求項６】
請求項１ないし５のうちのいずれかの項において、
前記検視鏡部の周囲には照明用の発光体が配置されていることを特徴とする拡大デンタルミラー。
【発明の詳細な説明】
【技術分野】
【０００１】
本発明は、歯科治療の際に、正面からは見えにくい歯の裏側等の箇所を見るために使用されるデンタルミラーの改良に関するものである。
【背景技術】
【０００２】
デンタルミラーは、一般に、棒状の柄の先に、９０度未満の角度で円盤状の検視鏡部が取り付けられ、この検視鏡部の表面に平面鏡が配置された構造をしている。検視鏡部の両面に平面鏡を配置したデンタルミラーは、例えば、下記の特許文献１、２、３に開示されている。また、検視鏡部に照明用の発光体を配置して、口腔を照らすことができるように構成されたものが特許文献４に開示されている。
【特許文献１】実開昭５９−２４００７号公報、
【特許文献２】実開昭６３−１２０６０３号公報
【特許文献３】実開昭６３−１５８３０６号公報
【特許文献４】実用新案登録第３０６７８４７号公報
【発明の開示】
【発明が解決しようとする課題】
【０００３】
デンタルミラーは歯の裏側のような肉眼では直視できない部分を映すためのものである。そのために、歯の裏側などの狭い部分に検視鏡部を入れることができるように、検視鏡部を大きな直径とすることができない。このため、そこに配置されている平面鏡も大きさに制約があり、そこに映し出される患部が見ずらい場合がある。
【０００４】
本発明の課題は、この点に鑑みて、歯の裏側などにおける直視できない部分の小さな患部であっても、映し出されるその鏡像をはっきりと視認することができるように改良を図ったデンタルミラーを提案することにある。
【課題を解決するための手段】
【０００５】
上記の課題を解決するために、本発明のデンタルミラーは、検視鏡部と、この検視鏡部が先端に取り付けられている柄とを有し、前記検視鏡部には凹面鏡が配置されていることを特徴としている。
【０００６】
本発明のデンタルミラーは凹面鏡を備えているので、患部などの部位が拡大されて凹面鏡に映し出される。したがって、小さな患部なども明確に視認できる。
【０００７】
ここで、本発明のデンタルミラーは、その検視鏡部に、凹面鏡に加えて平面鏡が配置されていることを特徴としている。
【０００８】
また、本発明のデンタルミラーは、その検視鏡部に、凹面鏡に加えて、当該凹面鏡と同一あるいは異なる拡大倍率の第２の凹面鏡が配置されていることを特徴としている。
【０００９】
さらに、本発明のデンタルミラーは、その検視鏡部に、凹面鏡に加えて、凸面鏡が配置されていることを特徴としている。
【００１０】
このように、異なる倍率で映し出される鏡を備えている場合には、必要に応じて、凹面鏡、平面鏡あるいは凸面鏡を使い分けることにより、歯の各部分を最も分かりやすい状態で鏡に映し出すことができる。
【００１１】
なお、本発明のデンタルミラーにおいて、その検視鏡部に３枚以上の鏡を配置することも可能である。例えば、凹面鏡、平面鏡および凸面鏡を配置することができる。
【００１２】
また、検視鏡部の周囲に照明用の発光体を配置すれば、歯の裏側などの暗くて視認できない部分もはっきりと見ることができるので便利である。
【発明の効果】
【００１３】
以上説明したように、本発明のデンタルミラーは凹面鏡を備えているので、歯の患部などの部位を拡大して映し出すことができる。したがって、本発明のデンタルミラーを用いれば、歯の各部分を明確に視認できるという優れた効果が得られる。
【００１４】
また、凹面鏡と共に、平面鏡、凸面鏡など複数の鏡を備えている場合には、視認しやすい倍率で歯の患部などを映し出して見ることができるので、極めて便利である。
【発明を実施するための最良の形態】
【００１５】
以下に、図面を参照して、本発明を適用した拡大デンタルミラーの一例を説明する。
【００１６】
図１は本例の拡大デンタルミラーの斜視図である。この図に示すように、本例の拡大デンタルミラー１は、金属製の細長い円柱状の柄２と、この柄２の先端に一体形成されている一定厚さの円盤状の検視鏡部３とを有している。検視鏡部３は、柄２の軸線２ａに対して鋭角に折れ曲がった方向を向いている。
【００１７】
図２は検視鏡部３の断面図である。この図に示すように、検視鏡部３は、柄２の先端に取り付けられている一定厚さの金属製の円環４を備えている。円環４は、その両側の縁に、鏡取り付け用の円環状段面５、６が形成されている。一方の円環状段面５には凹面鏡７が取り付けられ、他方の円環状段面６には平面鏡８が取り付けられている。このように、本例の検視鏡部３の一方の面には凹面鏡７が配置され、他方の面には平面鏡８が配置されている。
【００１８】
このように構成した本例の拡大デンタルミラー１を用いれば、その凹面鏡７に、歯の患部などが拡大されて映し出される。したがって、小さな患部などであってもはっきり視認できるので、極めて便利である。また、必要に応じて、平面鏡８によって対象物を同一の大きさで映し出すことができる。
【００１９】
ここで、平面鏡８の代わりに、凹面鏡７とは拡大倍率の異なる凹面鏡を配置することも可能である。また、平面鏡８の代わりに、凸面鏡を配置することも可能である。
【００２０】
また、図３に示すように、一方の面に山形状に半円形の凹面鏡７ａと平面鏡８ａを配置した構成を採用することもできる。
【００２１】
さらに、凹面鏡７、平面鏡８および凸面鏡の３枚の鏡を備えた検視鏡部を採用することも可能である。例えば、図４に示すように、一方の面を山形状に半円形の凹面鏡７ａおよび平面鏡８ａが配置された二面構成とし、他方の面を一枚の凸面鏡９が配置された構成とすることも可能である。
【図面の簡単な説明】
【００２２】
【図１】本発明を適用した拡大デンタルミラーの斜視図である。
【図２】図１の検視鏡部の断面図である。
【図３】検視鏡部の別の例を示す斜視図である。
【図４】検視鏡部のさらに別の例を示す断面図である。
【符号の説明】
【００２３】
１    拡大デンタルミラー
２    柄
３    検視鏡部
４    円環
５、６  円環状段面
７、７ａ  凹面鏡
８、８ａ  平面鏡
９    凸面鏡
【図１】
2006325701.tif 000003
【図２】
2006325701.tif 000004
【図３】
2006325701.tif 000005
【図４】
2006325701.tif 000006